(57)【要約】【課題】表示更新周期内に同種のゼロクロス点が複数個検出されないときにおける測定精度を向上させる。【解決手段】表示更新周期を計測して更新信号Ｓ３を出力する計測部４と、交流信号Ｓ１のゼロクロス点を検出して検出信号Ｓ２を出力するゼロクロス検出部３とを備え、処理部５は、更新信号Ｓ３の入力後、最初の検出信号Ｓ２を入力したときには、この検出信号Ｓ２に対応したゼロクロス点以降のサンプリング値Ｄ１の取得を開始し、更新信号Ｓ３の次の入力までの間に新たな検出信号Ｓ２が入力されず、かつゼロクロス点と異なる種類のゼロクロス点が存在しているときには、最初のゼロクロス点から、異なる種類のゼロクロス点までの半周期分のサンプリング値Ｄ１に基づいて平均値Ｖｍｅａｎおよび実効値Ｖｒｍｓを算出する。【選択図】図１
2011053054.tif 000002
【特許請求の範囲】
【請求項１】
表示更新周期毎に更新して表示する交流信号の電気特性を当該交流信号のサンプリング値に基づいて算出する処理部を備えた電気特性測定装置であって、
前記表示更新周期の計測を繰り返し実行すると共に、当該表示更新周期の開始タイミングに同期して更新信号を前記処理部に出力する計測部と、
前記交流信号についての予め決められた種類のゼロクロス点を検出して検出信号を前記処理部に出力するゼロクロス検出部とを備え、
前記処理部は、前記更新信号の入力後において最初の前記検出信号を入力したときには、当該最初の検出信号に対応した前記ゼロクロス点以降の前記サンプリング値の取得を開始し、
前記更新信号の次の入力までの間に新たな前記検出信号を１つ以上入力したときには、前記最初の検出信号および前記新たな検出信号のうちのいずれか２つの間に取得した前記サンプリング値に基づいて前記電気特性を算出し、
前記更新信号の次の入力までの間に新たな前記検出信号が入力されず、かつ前記ゼロクロス点と異なる種類のゼロクロス点が存在しているときには、前記最初のゼロクロス点から、当該異なる種類のゼロクロス点までの半周期分の前記サンプリング値に基づいて前記電気特性を算出する電気特性測定装置。
【請求項２】
前記処理部は、前記更新信号の次の入力までの間に新たな前記検出信号が入力されず、かつ前記異なる種類のゼロクロス点も存在していないときには、予め決められた警告処理を実行する請求項１記載の電気特性測定装置。
【請求項３】
表示更新周期毎に更新して表示する交流信号の電気特性を当該交流信号のサンプリング値に基づいて算出する電気特性測定方法であって、
前記表示更新周期中に前記交流信号についての予め決められた種類のゼロクロス点を最初に検出したときには、当該最初のゼロクロス点以降の当該交流信号のサンプリング値の取得を開始し、
次の前記表示更新周期の開始までの間に前記交流信号についての新たな前記ゼロクロス点を１つ以上検出したときには、前記最初のゼロクロス点および前記新たなゼロクロス点のうちのいずれか２つの間に取得した前記サンプリング値に基づいて前記電気特性を算出し、
次の前記表示更新周期の開始までの間に前記交流信号についての新たな前記ゼロクロス点を検出せず、かつ前記ゼロクロス点と異なる種類のゼロクロス点を検出したときには、前記最初のゼロクロス点から、当該異なる種類のゼロクロス点までの半周期分の前記サンプリング値に基づいて前記電気特性を算出する電気特性測定方法。
【請求項４】
次の前記表示更新周期の開始までの間に前記新たなゼロクロス点を検出せず、かつ前記異なる種類のゼロクロス点も検出しないときには、予め決められた警告処理を実行する請求項３記載の電気特性測定方法。
【発明の詳細な説明】
【技術分野】
【０００１】
本発明は、交流信号の平均値や実効値などの電気特性を測定する電気特性測定装置、および電気特性測定方法に関するものである。
【背景技術】
【０００２】
この種の電気特性測定装置として、下記特許文献１に開示された交流信号測定装置が知られている。この交流信号測定装置は、予め規定された長さの表示更新周期毎に交流信号についての同種のゼロクロス点（例えば、立ち上がりゼロクロス点および立ち下がりゼロクロス点の一方のゼロクロス点）を検出しつつ、このゼロクロス点が表示更新周期内に複数検出されたときには、ゼロクロス点を平均値演算期間の始点および終点として（つまり、平均値演算期間の始点および終点をゼロクロス点に同期させて）、交流信号の平均値を算出する。
【０００３】
一方、表示更新周期内に同種のゼロクロス点が複数個検出されないときには、平均値演算期間の始点および終点をゼロクロス点に同期させることができないため、この交流信号測定装置では、表示更新周期の始点および終点を平均値演算期間の始点および終点として、つまり表示更新周期全体を平均値演算期間として、交流信号の平均値を算出する。また、このように平均値演算期間の始点および終点がゼロクロス点に同期していないときの平均値は正確でない可能性があるため、この交流信号測定装置では、その旨を示すワーニング信号を表示器に表示する。
【０００４】
したがって、この交流信号測定装置では、平均値演算期間が適切に設定されていないことを表示器の表示で使用者が知ることができるので、測定周期（表示更新周期）を長くしたり、交流信号の波形が適切であるかなどのチェックを行うことが可能となっている。また、平均値演算期間が適切に設定されていないことを理解した上で使用することもできるので、適切な測定を短時間で行うことも可能となっている。
【先行技術文献】
【特許文献】
【０００５】
【特許文献１】特開２００４−２３３１７９号公報（第４−５頁、第２図）
【発明の概要】
【発明が解決しようとする課題】
【０００６】
ところが、上記の電気特性測定装置には、以下の課題が存在している。すなわち、この電気特性測定装置では、上記したように、表示更新周期内に同種のゼロクロス点が複数個検出されないときには、表示更新周期全体を平均値演算期間として、交流信号の平均値を算出しており、これによって算出された平均値が正確でない可能性があることから、その旨を示すワーニング信号を表示させて使用者に報知する構成を採用している。しかしながら、ワーニング信号を表示させたとしても、表示更新周期全体を平均値演算期間として平均値を算出する構成においては、本来の平均値とは大きく異なる値が平均値として算出され、かつ表示される事態（測定精度が大幅に低下する事態）が頻繁に発生するため、このような事態の発生を低減し得る電気特性測定装置の実現が望まれている。
【０００７】
本発明は、かかる課題に鑑みてなされたものであり、表示更新周期内に同種のゼロクロス点が複数個検出されないときにおける測定精度を向上させ得る電気特性測定装置、および電気特性測定方法を提供することを主目的とする。
【課題を解決するための手段】
【０００８】
上記目的を達成すべく請求項１記載の電気特性測定装置は、表示更新周期毎に更新して表示する交流信号の電気特性を当該交流信号のサンプリング値に基づいて算出する処理部を備えた電気特性測定装置であって、前記表示更新周期の計測を繰り返し実行すると共に、当該表示更新周期の開始タイミングに同期して更新信号を前記処理部に出力する計測部と、前記交流信号についての予め決められた種類のゼロクロス点を検出して検出信号を前記処理部に出力するゼロクロス検出部とを備え、前記処理部は、前記更新信号の入力後において最初に前記検出信号を入力したときには、当該最初の検出信号に対応した前記ゼロクロス点以降の前記サンプリング値の取得を開始し、前記更新信号の次の入力までの間に新たな前記検出信号を１つ以上入力したときには、前記最初の検出信号および前記新たな検出信号のうちのいずれか２つの間に取得した前記サンプリング値に基づいて前記電気特性を算出し、前記更新信号の次の入力までの間に新たな前記検出信号が入力されず、かつ前記ゼロクロス点と異なる種類のゼロクロス点が存在しているときには、前記最初のゼロクロス点から、当該異なる種類のゼロクロス点までの半周期分の前記サンプリング値に基づいて前記電気特性を算出する。
【０００９】
また、請求項２記載の電気特性測定装置は、請求項１記載の電気特性測定装置において、前記処理部は、前記更新信号の次の入力までの間に新たな前記検出信号が入力されず、かつ前記異なる種類のゼロクロス点も存在していないときには、予め決められた警告処理を実行する。
【００１０】
また、請求項３記載の電気特性測定方法は、表示更新周期毎に更新して表示する交流信号の電気特性を当該交流信号のサンプリング値に基づいて算出する電気特性測定方法であって、前記表示更新周期中に前記交流信号についての予め決められた種類のゼロクロス点を最初に検出したときには、当該最初のゼロクロス点以降の当該交流信号のサンプリング値の取得を開始し、次の前記表示更新周期の開始までの間に前記交流信号についての新たな前記ゼロクロス点を１つ以上検出したときには、前記最初のゼロクロス点および前記新たなゼロクロス点のうちのいずれか２つの間に取得した前記サンプリング値に基づいて前記電気特性を算出し、次の前記表示更新周期の開始までの間に前記交流信号についての新たな前記ゼロクロス点を検出せず、かつ前記ゼロクロス点と異なる種類のゼロクロス点を検出したときには、前記最初のゼロクロス点から、当該異なる種類のゼロクロス点までの半周期分の前記サンプリング値に基づいて前記電気特性を算出する。
【００１１】
また、請求項４記載の電気特性測定方法は、請求項３記載の電気特性測定方法において、次の前記表示更新周期の開始までの間に前記新たなゼロクロス点を検出せず、かつ前記異なる種類のゼロクロス点も検出しないときには、予め決められた警告処理を実行する。
【発明の効果】
【００１２】
請求項１記載の電気特性測定装置および請求項３記載の電気特性測定方法では、次の表示更新周期の開始までの間に交流信号についての新たなゼロクロス点を検出せず、かつゼロクロス点と異なる種類のゼロクロス点を検出したときには、最初のゼロクロス点から、この異なる種類のゼロクロス点までの半周期分のサンプリング値に基づいて電気特性を算出する。
【００１３】
したがって、この電気特性測定装置および電気特性測定方法によれば、表示更新周期内に同種のゼロクロス点が複数個検出されないときには、表示更新周期全体を電気特性演算期間（平均値演算期間）として交流信号の電気特性を算出する上記した従来の電気特性測定装置および電気特性測定方法とは異なり、本来の電気特性とは大きく異なる値の電気特性が算出されるといった事態を回避できるため、測定精度が大幅に低下する事態の発生を低減することができる。
【００１４】
また、請求項２記載の電気特性測定装置および請求項４記載の電気特性測定方法では、次の表示更新周期の開始までの間に新たなゼロクロス点を検出せず、かつ異なる種類のゼロクロス点も検出しないときには、予め決められた警告処理を実行する。したがって、この電気特性測定装置および電気特性測定方法によれば、この警告処理（例えば警告表示）に基づいて、現在の交流信号の周期に対して、表示更新周期が短すぎて不適切である旨を認識することができる。
【図面の簡単な説明】
【００１５】
【図１】電気特性測定装置１の構成を示す構成図である。
【図２】電気特性測定装置１の動作概要を説明するためのタイミングチャートである。
【図３】電気特性測定装置１の動作を説明するためのフローチャートである。
【図４】電気特性測定装置１の動作の詳細を説明するためのタイミングチャートである。
【図５】電気特性測定装置１の動作の詳細を説明するためのタイミングチャートである。
【図６】電気特性測定装置１の動作の詳細を説明するためのタイミングチャートである。
【発明を実施するための形態】
【００１６】
以下、電気特性測定装置１および電気特性測定方法の実施の形態について、添付図面を参照して説明する。
【００１７】
最初に、電気特性測定装置１の構成について、図面を参照して説明する。
【００１８】
電気特性測定装置１は、図１に示すように、Ａ／Ｄ変換部２、ゼロクロス検出部３、計測部４、処理部５、記憶部６および表示部７を備え、交流信号Ｓ１の電気特性（本例では一例として、平均値Ｖｍｅａｎおよび実効値Ｖｒｍｓ）を測定可能に構成されている。
【００１９】
Ａ／Ｄ変換部２は、交流信号Ｓ１を入力すると共に、予め決められた周期（交流信号Ｓ１の周期に対して十分に短い周期）のサンプリングクロックで交流信号Ｓ１をサンプリングすることにより、交流信号Ｓ１の振幅をデジタルデータ（以下、「サンプリング値」ともいう）Ｄ１に変換して処理部５に出力する。ゼロクロス検出部３は、一例として、しきい値がゼロボルトに規定されたコンパレータを備えて構成されて、交流信号Ｓ１の立ち上がりゼロクロス点および立ち下がりゼロクロス点のうちの予め決められた一方の種類のゼロクロス点（本例では一例として、立ち上がりゼロクロス点）を検出すると共に、ゼロクロス点の検出タイミングに同期して、一例としてパルス信号である検出信号Ｓ２を処理部５に出力する。
【００２０】
計測部４は、タイマＩＣなどで構成されて、予め規定された表示更新周期Ｔ１の計測を繰り返し実行すると共に、表示更新周期Ｔ１の開始タイミングに同期して、一例としてパルス信号である更新信号Ｓ３を処理部５に出力する。処理部５は、ＣＰＵなどで構成されて、検出信号Ｓ２および更新信号Ｓ３を割り込み信号として入力すると共に、記憶部６に記憶されている動作プログラムに従って作動して、交流信号Ｓ１についての上記の電気特性をサンプリング値Ｄ１に基づいて算出する電気特性算出処理５０（図３参照）を実行する。
【００２１】
記憶部６は、ＲＯＭおよびＲＡＭなどの半導体メモリで構成されている。この記憶部６には、上記したように処理部５の動作を規定する動作プログラムが予め記憶されている。また、記憶部６は、処理部５のワークメモリとして機能して、Ａ／Ｄ変換部２から取得したサンプリング値Ｄ１、電気特性算出処理５０で算出した電気特性（平均値Ｖｍｅａｎおよび実効値Ｖｒｍｓ）を記憶する。表示部７は、ＬＣＤ（Ｌｉｑｕｉｄ  Ｃｒｙｓｔａｌ  Ｄｉｓｐｌａｙ）などのディスプレイ装置で構成されて、処理部５によって算出された電気特性（平均値Ｖｍｅａｎおよび実効値Ｖｒｍｓ）を表示する。
【００２２】
次に、電気特性測定装置１による交流信号Ｓ１の電気特性の算出動作と共に、電気特性測定方法について、図面を参照して説明する。
【００２３】
まず、電気特性測定装置１では、作動状態において、Ａ／Ｄ変換部２が交流信号Ｓ１に対するサンプリングを実行し、ゼロクロス検出部３が交流信号Ｓ１のゼロクロス点の検出を実行し、計測部４が表示更新周期Ｔ１の計測を実行する。したがって、処理部５には、Ａ／Ｄ変換部２からサンプリング値Ｄ１がサンプリングクロックの周期で出力され、ゼロクロス検出部３から検出信号Ｓ２が間欠的に出力され、計測部４から更新信号Ｓ３が表示更新周期Ｔ１で出力される。
【００２４】
この状態において、処理部５は、図３に示す電気特性算出処理５０を実行する。処理部５は、図２に示すように、計測部４から更新信号Ｓ３が出力された後であって各表示更新周期Ｔ１内において最初の検出信号Ｓ２を入力した時点から電気特性算出処理５０を実行して、同図に示す１番目と３番目の表示更新周期Ｔ１のように電気特性算出処理５０において電気特性Ａ，Ｂを算出できたときには、各表示更新周期Ｔ１の次の表示更新周期Ｔ１において、算出した電気特性Ａ，Ｂを表示部７に更新表示させ、同図に示す２番目の表示更新周期Ｔ１のように電気特性を算出できないときには、その次の表示更新周期Ｔ１において、警告処理を実行して、表示部７に警告表示を表示させる。
【００２５】
具体的に、各電気特性算出処理５０での処理部５の動作について、図３〜６を参照して詳細に説明する。
【００２６】
処理部５は、電気特性算出処理５０を開始したときに、Ａ／Ｄ変換部２から出力されているサンプリング値Ｄ１の取得処理を開始する（ステップ５１）。また、処理部５は、取得したサンプリング値Ｄ１の記憶部６への記憶処理も併せて開始する。これにより、表示更新周期Ｔ１における最初の検出信号Ｓ２の検出時点（最初の立ち上がりゼロクロス点）以降のサンプリング値Ｄ１の記憶部６への記憶が開始される。
【００２７】
その後、処理部５は、サンプリング値Ｄ１の取得処理および記憶処理を実行しつつ、検出信号Ｓ２を入力したか否か（ステップ５２）、および更新信号Ｓ３を入力したか否か（ステップ５３）の検出を繰り返し実行する。この際に、処理部５は、検出信号Ｓ２を検出する都度、更新信号Ｓ３の入力を検出するまでの間の検出信号Ｓ２の検出回数をカウントする。なお、処理部５は、この電気特性算出処理５０において検出信号Ｓ２を最初に検出したとき（つまり各表示更新周期Ｔ１における２番目の検出信号Ｓ２を検出したとき）には、図４の各表示更新周期Ｔ１、および図５の２番目の表示更新周期Ｔ１のときのように、サンプリング値Ｄ１の取得処理（および記憶処理）を終了する（ステップ５４）。また、処理部５は、上記ステップ５２，５３を実行しつつ、更新信号Ｓ３を入力したときには、各ステップ５２，５３の実行を終了し、また、図５の１番目の表示更新周期Ｔ１、および図６の各表示更新周期Ｔ１のときのように、サンプリング値Ｄ１の取得処理および記憶処理の続行中であれば、これらの処理についても終了する（ステップ５５）。
【００２８】
次いで、処理部５は、電気特性算出処理５０を開始してから更新信号Ｓ３の入力までの間の検出信号Ｓ２の検出回数を判別して（ステップ５６）、図４の各表示更新周期Ｔ１、および図５の２番目の表示更新周期Ｔ１のときのように、検出信号Ｓ２の検出回数が１回以上のとき（つまり、表示更新周期Ｔ１内の検出信号Ｓ２が複数のとき）には、サンプリング値Ｄ１の取得開始から検出信号Ｓ２を最初（電気特性算出処理５０において最初）に検出したときまでのサンプリング値Ｄ１（言い換えれば、予め決められた一方の種類のゼロクロス点（同種のゼロクロス点）間のサンプリング値Ｄ１）、つまり、交流信号Ｓ１の１周期分のサンプリング値Ｄ１に基づいて、交流信号Ｓ１の電気特性（平均値Ｖｍｅａｎおよび実効値Ｖｒｍｓ）を算出して、記憶部６に記憶させる（ステップ５７）。続いて、処理部５は、算出した電気特性をそれまで表示部７に表示されている電気特性に代えて表示（更新表示）させる（ステップ６０）。例えば、図４のように、電気特性Ｂを算出したときには、１つ前の表示更新周期Ｔ１において表示されていた表示内容（この例では電気特性Ａ）に代えて電気特性Ｂを表示部７に表示させる。これにより、電気特性算出処理５０が完了し、電気特性の測定も完了する。
【００２９】
一方、処理部５は、検出信号Ｓ２の検出回数が１回未満（ゼロ）のとき（図５の１番目の表示更新周期Ｔ１、および図６の各表示更新周期Ｔ１のようなとき）には、記憶部６に記憶されているサンプリング値Ｄ１に基づき、サンプリング値Ｄ１の取得開始から取得終了までの間に、上記の予め決められた一方の種類のゼロクロス点とは異なる他方の種類のゼロクロス点（本例では、立ち下がりゼロクロス点）の存在の有無を判別する（ステップ５８）。その結果、図５の１番目の表示更新周期Ｔ１、および図６の２番目の表示更新周期Ｔ１のときのように、他方の種類のゼロクロス点（同図中において△印を付したゼロクロス点）が存在していたときには、記憶部６に記憶されている最初のサンプリング値Ｄ１からこの他方の種類のゼロクロス点までの間のサンプリング値Ｄ１（言い換えれば、最初のゼロクロス点から、この他方の種類のゼロクロス点までのサンプリング値Ｄ１。異種のゼロクロス点間のサンプリング値Ｄ１）、つまり、交流信号Ｓ１の半周期分のサンプリング値Ｄ１に基づいて、交流信号Ｓ１の電気特性Ａ（平均値Ｖｍｅａｎおよび実効値Ｖｒｍｓ）を算出して、記憶部６に記憶させる（ステップ５９）と共に、算出した電気特性を表示部７に更新表示させる（ステップ６０）。これにより、電気特性算出処理５０が完了し、電気特性の測定も完了する。
【００３０】
また、処理部５は、ステップ５８での判別の結果、図６の１番目の表示更新周期Ｔ１のときのように、一方の種類のゼロクロス点のみで、他方の種類のゼロクロス点が存在していないとき（つまり、取得したサンプリング値Ｄ１が交流信号Ｓ１の半波分に満たないとき）には、サンプリング値Ｄ１に基づく電気特性の算出ができないと判別して、表示部７に警告表示を更新表示させる（ステップ６１）。これにより、電気特性算出処理５０が完了する。
【００３１】
このように、この電気特性測定装置１および電気特性測定方法では、図５の１番目の表示更新周期Ｔ１、および図６の２番目の表示更新周期Ｔ１のときのように、表示更新周期Ｔ１内に交流信号Ｓ１についての予め決められた一方の種類のゼロクロス点（本例では、○印を付した立ち上がりゼロクロス点）が１つしか存在していない（つまり、電気特性算出処理５０中におけるこの一方の種類のゼロクロス点と同種のゼロクロス点の検出回数が１未満（ゼロ））である）が、この一方の種類のゼロクロス点とは異なる種類（他方の種類）のゼロクロス点（本例では、立ち下がりゼロクロス点（△印を付したゼロクロス点））が一方の種類のゼロクロス点以降に存在しているときには、処理部５は、表示更新周期Ｔ１中の最初のゼロクロス点（最初の立ち上がりゼロクロス点）から、他方の種類のゼロクロス点（立ち下がりゼロクロス点）までの交流信号Ｓ１の半周期分のサンプリング値Ｄ１に基づいて交流信号Ｓ１の電気特性を算出する。
【００３２】
したがって、この電気特性測定装置１および電気特性測定方法によれば、表示更新周期Ｔ１内に同種のゼロクロス点が複数個検出されないときには、表示更新周期Ｔ１全体を電気特性演算期間（平均値演算期間）として交流信号Ｓ１の電気特性を算出する上記した従来の電気特性測定装置および電気特性測定方法とは異なり、本来の電気特性とは大きく異なる値の電気特性が算出されるといった事態を回避できるため、測定精度が大幅に低下する事態の発生を低減することができる。
【００３３】
また、この電気特性測定装置１および電気特性測定方法では、図６の１番目の表示更新周期Ｔ１のときのように、電気特性算出処理５０を開始してサンプリング値Ｄ１の取得を行っているときに、更新信号Ｓ３の次の入力までの間に新たな検出信号Ｓ２が入力されず、かつ取得したサンプリング値Ｄ１に基づく判別の結果、異なる種類（他方の種類）のゼロクロス点も存在していないときには、取得したサンプリング値Ｄ１に基づく電気特性の算出は行わずに、警告処理を実行して、警告表示を表示部７に更新表示させる。したがって、この電気特性測定装置１および電気特性測定方法によれば、使用者は、この警告表示に基づいて、現在の交流信号Ｓ１の周期に対して、表示更新周期Ｔ１が短すぎて不適切である旨を認識することができる。
【００３４】
なお、上記の構成では、電気特性算出処理５０の開始後における検出信号Ｓ２の検出回数が２回以上のとき（図４の各表示更新周期Ｔ１のとき）には、サンプリング値Ｄ１の取得開始から検出信号Ｓ２を最初（電気特性算出処理５０において最初）に検出したときまでのサンプリング値Ｄ１つまり、交流信号Ｓ１の１周期分のサンプリング値Ｄ１に基づいて、交流信号Ｓ１の電気特性（平均値Ｖｍｅａｎおよび実効値Ｖｒｍｓ）を算出しているが、同図のように、電気特性算出処理５０中における検出信号Ｓ２の検出回数が２回以上（同図では２回）のとき、つまり表示更新周期Ｔ１内に検出信号Ｓ２の検出回数が３回以上（同図では３回）あるときには、処理部５は、この電気特性算出処理５０中に交流信号Ｓ１のサンプリング値Ｄ１を複数周期分、取得することができるため、取得した複数周期分のサンプリング値Ｄ１のうちのいずれか１つの周期のサンプリング値Ｄ１、または複数の周期のサンプリング値Ｄ１に基づいて、つまり、いずれか２つの検出信号Ｓ２に対応した２つのゼロクロス点間のサンプリング値Ｄ１に基づいて、電気特性を算出する構成を採用することもできる。
【００３５】
また、上記の電気特性測定装置１では、Ａ／Ｄ変換部２を含む構成を採用しているが、電気特性測定装置にＡ／Ｄ変換部を含めずに、電気特性測定装置の外部にＡ／Ｄ変換部を配置する構成を採用することもできる。この構成では、処理部５は交流信号Ｓ１のサンプリング値Ｄ１を外部から直接入力することになるが、この場合には、ゼロクロス検出部３を例えば論理回路で構成して、このゼロクロス検出部３がサンプリング値Ｄ１を入力しつつ、その極性を判別することで、交流信号Ｓ１についてのゼロクロス点を検出する構成としたり、また、処理部５が、サンプリング値Ｄ１を入力しつつ、その極性を判別することで、交流信号Ｓ１についてのゼロクロス点を直接検出する構成、つまりゼロクロス検出部３としても機能する構成を採用することもできる。
【符号の説明】
【００３６】
１  電気特性測定装置
３  ゼロクロス検出部
４  計測部
５  処理部
Ｄ１  サンプリング値
Ｓ１  交流信号
Ｓ２  検出信号
Ｓ３  更新信号
Ｔ１  表示更新周期
【図１】
2011053054.tif 000003
【図２】
2011053054.tif 000004
【図３】
2011053054.tif 000005
【図４】
2011053054.tif 000006
【図５】
2011053054.tif 000007
【図６】
2011053054.tif 000008